(57)【要約】      （修正有）【課題】閾値温度を超えた温度、圧力、腐食、または電気条件に応答し、少なくとも１つがその条件の閾値を超えたときに応答する表示器を提供する。【解決手段】燃料装置に貯蔵または移すときに用いられるように配された本体１０と、閾値を超えた条件下に前記本体が曝されたことの表示を示す、前記本体１０に付随する表示器２０と、が設けられる。表示器２０が１つまたは複数の閾値を超えた環境または装置条件に応答する。限定しないが、たとえば、表示器２０が温度、圧力、腐食、および電気条件の１つまたは複数に応答して、少なくとも１つの条件がその条件の閾値を超えたときに表示を提供する。【選択図】図１
2013203395.tif 000002
【特許請求の範囲】
【請求項１】
燃料を貯めるか移すときに用いられるために燃料装置内に配された本体と、
前記本体が閾値を超えた条件下に曝されたことの表示を提供する、前記本体に連結された表示器と、を備えた
ことを特徴とする燃料装置構成要素。
【請求項２】
前記表示器が閾値温度を超えた温度に応答し、前記本体が前記閾値温度を超えた温度に曝されたことの表示を提供することを特徴とする請求項１に記載の燃料装置構成要素。
【請求項３】
前記表示器が前記構成要素に加えられる閾値電圧を超えた電圧に応答することを特徴とする請求項１に記載の燃料装置構成要素。
【請求項４】
前記閾値電圧が屈曲点電圧であるツェナーダイオードを前記表示器が有していることを特徴とする請求項３に記載の燃料装置構成要素。
【請求項５】
前記本体が、電気モータポンプの一部分、または液体レベルセンサの一部分とされ、前記ツェナーダイオードが、前記燃料ポンプまたは前記液体レベルセンサの電源線間に接続されていることを特徴とする請求項４に記載の燃料装置構成要素。
【請求項６】
前記表示器に、基準チャンバを画定する隔壁と、前記隔壁によって移動可能とされるピンと、が設けられ、前記基準チャンバの外側の前記隔壁に加わる圧力が前記閾値よりも大きい場合に前記ピンが前記表示器の表面に係合することを特徴とする請求項１に記載の燃料装置構成要素。
【請求項７】
前記表示器の表面に、前記閾値を超えた圧力が加えられたときに破裂する隔膜が設けられていることを特徴とする請求項１に記載の燃料装置構成要素。
【請求項８】
前記表示器に、腐食閾値よりも腐食性のある腐食物質に曝されたときに知られた反応を示す犠牲部材が設けられていることを特徴とする請求項１に記載の燃料装置構成要素。
【請求項９】
前記腐食物質が前記燃料装置の燃料の部分とされ、前記表示器が前記燃料に露出する前記燃料装置の構成要素に連結されていることを特徴とする請求項８に記載の燃料装置構成要素。
【請求項１０】
前記表示器が前記本体によって保持されて、前記本体が直接に曝された条件に応答することを特徴とする請求項１に記載の燃料装置構成要素。
【請求項１１】
前記表示器が、排気装置構成要素の領域において前記燃料タンクの外側表面に近接して配設されていることを特徴とする請求項１に記載の燃料装置構成要素。
【請求項１２】
燃料タンクが、燃料の供給が保持される内装を画定する壁を有し、
前記表示器が、前記燃料タンクによって保持されて、前記燃料タンクが閾値を超えた条件に曝されたときに表示を提供し、かつ、
前記表示器が、前記燃料タンクがまだ閾値を超えた条件に曝されていない第１の状態、および前記燃料タンクが前記閾値を超えた条件に曝された後の第２の状態を有していることを特徴とする請求項１に記載の燃料装置構成要素。
【請求項１３】
正および負の電源端子がさらに設けられて、電力が該端子を介して前記構成要素に供給され、前記表示器が、前記電源端子と連通される電気閾値を有して、前記電源端子に供給される前記電圧が閾値を超えたときに第１の状態から第２の状態に変化するように動作することを特徴とする請求項１に記載の燃料装置構成要素。
【請求項１４】
前記表示器が第１の条件に応答して、前記第１の条件が該第１の条件の閾値を超えたときに表示を提供し、
別の表示器が第２の条件に応答して、前記第２の条件が該第２の条件の閾値を超えたときに表示を提供し、
前記第１の条件が前記第２の条件と相異していることを特徴とする請求項１に記載の燃料装置構成要素。
【請求項１５】
前記第１の条件が、温度、圧力、腐食、および電圧の１つとされ、前記第２の条件が、温度、圧力、腐食、および電圧の１つとされ、かつ、前記第２の条件が前記第１の条件と相異していることを特徴とする請求項１４に記載の燃料装置構成要素。
【請求項１６】
前記表示器が、第３の条件に応答して、前記第３の条件が該第３の条件の閾値を超えたときに表示を提供する第３の表示器を有し、
前記第１の条件、前記第２の条件、および前記第３の条件が、互いに相異していることを特徴とする請求項１４に記載の燃料装置構成要素。
【発明の詳細な説明】
【技術分野】
【０００１】
本発明は、一般に車両燃料装置に関わり、詳細には、車両燃料装置構成要素における１つまたは複数の閾値条件の存在を表示することに関わる。
【背景技術】
【０００２】
車両燃焼装置が様々な環境および動作条件に曝される多くの構成要素を有する。使用にあたって、燃料装置構成要素が故障したり意図通りに動作しない場合がある。故障の原因または想定以上に悪い動作の原因を判断するのは、時には困難な場合がある。このため、原因が構成要素そのものの場合、関連の構成要素なのか、構成要素が設計されたものを超えた条件によるものなのかを判断するのは困難である。たとえば、構成要素が意図したのより高い温度や、圧力、電力などに曝された場合、故障または構成要素の性能が悪化して、構成要素を用いての問題の表示ができない恐れがある。
【発明の概要】
【発明が解決しようとする課題】
【０００３】
燃料装置構成要素が燃料装置内に貯蔵するか移すのに用いられて配される本体、および本体に付随して本体が閾値を超えた条件に曝されたときに表示を提供する表示器を備えて良い。表示器が閾値を超えた１つまたは複数の環境または装置条件に応答して良い。限定しないが、たとえば、閾値温度を超えた温度、圧力、腐食、または電気条件に応答し、少なくとも１つがその条件の閾値を超えたときに表示を提供して良い。
【０００４】
少なくとも１つの燃料タンクの実施形態が、燃料の供給が保持される内装を画定する壁を有し、前記表示器が前記燃料タンクに保持されて、前記燃料タンクが閾値を超えた条件に曝されたときに表示を提供する。表示器が前記燃料タンクが閾値を超えた条件に曝されたことがないときの第１の状態、および前記燃料タンクが閾値を超えた条件に曝されたときの第２の状態、を有している。限定しないが、たとえば、閾値温度を超えた温度、圧力、腐食、または電気条件に応答し、少なくとも１つがその条件の閾値を超えたときに表示を提供して良い。
【０００５】
使用する際に電気が供給される少なくとも１つの燃料装置構成要素の実施形態が、電力が構成要素に供給される正および負の電源端子を有し、電源端子と連通する電気閾値表示器が、電源端子に供給される電圧が閾値を超えたときに第１の状態から第２の状態に変化するように動作する。少なくとも１つの形態えは、電気閾値表示器が閾値を超えた電圧に応答して、表示器の第２の状態に変化する。
【０００６】
次に、代表的な実施形態および最適モードについて、添付の図面を参照して詳細に説明する。
【図面の簡単な説明】
【０００７】
【図１】燃料タンク、燃料ポンプ、および燃料レベルセンサの内部を示す車両燃料タンクの断面図である。
【図２】閾値温度表示器の平面図である。
【図３】閾値圧力表示器の断面図である。
【図４】表示する表面に係合するピンを示す表示器の断面図である。
【図５】閾値電気表示器を含む燃料ポンプの部分の断面図である。
【図６】閾値電気表示器を含む燃料ポンプの部分の斜視図である。
【図７】閾値電気表示器を含む燃料ポンプの部分の斜視図である。
【図８】何れの複数の条件がその条件に対する閾値を超えたかを示す閾値条件表示器の平面図である。
【発明を実施するための形態】
【０００８】
図面をさらに詳細に参照すると、図１および図５〜７が車両燃料装置の構成要素を示し、それは、たとえば、燃料タンク１０、燃料ポンプ１２、および燃料レベルセンサ１４である。燃料タンク１０が液体燃料が貯蔵される内部容積１５を含む。燃料ポンプ１２が燃料タンク１０から燃料を取る電気モータ駆動ポンプで良く、燃料を圧縮して圧力下の燃料をエンジンに供給する。燃料レベルセンサ１４が燃料タンク１０の燃料のレベルの表示を供給する可変抵抗回路１６（図７）を有して良い。
【０００９】
車両で使用する際に、これらおよび他の燃料装置構成要素が、性能、耐用年数、および信頼性に影響する、変化する環境および／または動作条件に曝される。たとえば、構成要素が、他の条件および変化する事のうち、様々な温度、圧力、電力、および燃料タイプに曝される。時には、構成要素が、設計を超えた１つまたは複数の条件に曝される。この苛酷な条件に曝されて、構成要素が破損や故障した場合、燃料装置構成要素の故障や問題を表示できなくなり、別の車両構成要素または装置で代わりに故障や問題を表示させる。破損しているか故障している燃料装置構成要素１０、１２、１４を検討すると、その結果後に、構成要素が仕様になっているかどうかを判断することは困難である。したがって、特異な構成要素について設計または製造問題かを判断したり、構成要素が仕様範囲または閾値を超えた条件に曝されたかを判断することは困難である。
【００１０】
図１〜８に示すように、１つまたは複数の構成要素が閾値センサまたは表示器を備えて、構成要素が閾値を超えた動作条件に曝されたかどうかを判断する。閾値表示器が、閾値条件が超えたときに、第１の状態から第２の状態に状態を変化させる。少なくともいくつかの形態において、第１の状態から第２の状態への変化が恒久でかつ表示器の検査の際に視覚的に明らかである。この場合、燃料装置構成要素が所与の閾値を超えた条件に曝されたことが容易に判断できる。
【００１１】
１つの実施形態では、図１、２に示すように、燃料タンク１０が温度応答閾値表示器２０を備えて、燃料タンク１０が閾値を超えた温度に曝されたときに、表示を提供する。たとえば、乗用車で、排気管が燃料タンク１０の部分の近接に配設されている場合がある。排気管が車両の運転中にかなり高温になり、排気管から放射される熱が車両の隣接する構成要素に吸収される。この熱が隣接の構成部品に伝搬することを低減するかまたは防止するために、熱シールドが排気管、およびたとえば燃料タンクの間に組み込まれる。ヘッドシールドが燃料タンク１０を十分に保護するよう適切に設計されないと、道路上の破片からまたは腐食から破損して、たとえば正しく組み込まれない。熱シールドが正しく設計され、正しく組み込まれ、破損を受けていなくても、エンジンの動作が正しくないと、通常の動作温度よりも高温に、設計された排気ガス温度よりも高温になって、その結果、燃料タンク１０が設計された温度以上に曝される。たとえば、燃料タンク１０が設計を超えた熱に曝される場合、燃料タンク１０の破損または故障が、そのような熱に曝されたときに、燃料タンク１０が正しく設計されなかった、または製造されなかったという表示を提供されない。
【００１２】
燃料タンク１０が閾値を超えた熱に曝された表示を提供するために、温度閾値表示器２０が、閾値を超えた熱に曝されたときに状態を変化させて良い。１つの形態では、温度閾値表示器２０が閾値を超えた温度まで加熱されたときに、色が変化する表示器２０を有して良い。表示部２２が、閾値以上に加熱されたときに色が変化するインク、温度検知材料、またはフィルム、または閾値以上に加熱されたときに、溶けたり、形や形状が変化するワックスや他の材料を含んで良い。
【００１３】
温度閾値表示器２０がタンク１０の領域に配されて、閾値を超えた温度を経験する可能性が高く、領域は、たとえば（これに限定せずに）排気管や熱シールドの領域である。温度閾値表示器２０がタンクに接着剤などで接着され、またはタンクの外装に１つまたはいくつかの場所で貼付されるシールでも良い。表示器２０がタンクの製造の間に燃料タンク１０に成形されて、または表示器２０が、溶接、熱溶着、クランプ、ファスナ等の任意の他の望ましい方法でタンク１０と連結される。表示器２０が燃料タンク１０の１つまたは複数の別々の部分に配されるか、または、望まれるならば、燃料タンクの全体を覆っても良い。さらに、表示器２０が複数の閾値に応答できるか、または異なる閾値をそれぞれ有する複数の表示器が設けられて良い。これによって、燃料タンク１０が曝された最高温度が１つの閾値以上、別の閾値以下である場所に曝された温度の範囲を決定することが助長される。これが、たとえば、異なる閾値が複数の状態にそれぞれ表される複数の状態を有する１つの表示器で、または上記のように複数の異なる表示器で達成されて良い。
【００１４】
燃料タンク１０について上記に説明したが、温度閾値表示器２０が他の構成要素と一緒に用いられても良い。たとえば、燃料ポンプ１２、燃料導管、燃料レール、コネクタなどが１つまたは複数の温度閾値表示器を有して、これら構成要素が所望温度を超えた高い温度に曝されたときに表示を提供する。さらに、所望を超えた高い温度について上記に説明したが、温度閾値表示器２０が所望温度よりも低い温度を表示するように設計されて良い。さらには、温度閾値表示器２０が、構成要素が曝された総計時間または上昇した温度の表示を提供して良い。時間を表示するのに任意の好適な方法が用いられ、それには、上昇した温度での時間に応答して厚みまたは他の寸法が減少する（たとえば、溶融する）表示器が含まれる。
【００１５】
温度以外の条件が、燃料タンク１０などの燃料装置構成要素の正常な動作に関するもので良い。たとえば、燃料タンク内の過剰圧力が燃料タンクに影響する。圧力応答閾値表示器３０（図３）が配されて、閾値圧力を超えたときに表示が提供される。圧力閾値表示器３０が、圧力が１つの閾値を一度超えたときに活性化され、またはいくつかの閾値圧力条件を示して良い。このために、圧力閾値表示器が複数の表示器を有するか、それぞれが活性化する異なる圧力である複数の表示器が用いられて良い。
【００１６】
図３に示すように、圧力閾値表示器３０の１つの実施形態には、ハウジング３２、ハウジング３４に支持されて一方側の基準チャンバ３６を画定する薄膜または隔壁３４が設けられる。隔壁３４が基準チャンバ３６の反対側の燃料タンク１０内の圧力によって活性化される。このように、タンク１０内の高圧力が基準チャンバ３６の容積を減らす方向に隔壁３４をずらす。圧力が閾値を超えた燃料タンク１０内の圧力に応答して隔壁３４が移動することで、表示器３０が活性化される。例示の表示器３０が、第１端部が隔壁３４に応答する柄またはピン３８を有して、ピン３８の対向する第２端４２が表示表面４４と係合する。例示の、ピン３８の第１端４０が隔壁３４によって直接に係合または作動されて、隔壁３４が十分に移動すると、それは燃料タンク１０内の圧力が閾値圧力を超えたときに起きるが、第２端４２が表示表面４４に係合する。表示表面４４が燃料タンク１０の部分または表示器３０の部分で良い。ピン３８がキャリア４６によって正しい位置に支持され、該支持がハウジング３２に一部分として形成されるか、別体の構成要素で良い。キャリア４６が、キャリア４６およびハウジング３２に対してピン３８をスライド自在に移動させ、または、キャリア４６が柔軟とされて、ピン３８の表示表面４４方向への移動が、ピン３８およびキャリア４６の間の相対滑り移動なく、可能とされる。図４に示すように、ピン３８の第２端４２が減少した表面領域を有し（たとえば、先細りまたは鋭角状）、表示表面４４の中にマークまたは刻み目を提供するのを助長する。何れのマークまたは刻み目の深さがマークが刻んだ圧力条件に対応する。このように燃料タンク１０で現われた最大圧力が表示表面４４に形成されたマークの深さの対応関係によって判定される。もちろん、表示表面４４が他に配されても良く、たとえば、それにかかる圧力の大きさに応じて色の変化する感圧フィルムなどで良い。この場合、ピンがフィルムにかかった圧力を増幅して用いられても良い。および／または、タンク１０内の圧力が閾値を超えたときに破裂するか破裂させられ、または突き刺さって（たとえばピン３８によって）、フィルムまたは薄膜４４が圧力表示器の部分または全部として用いられて良い。また、圧力閾値表示器３０が閾値を超えた圧力に曝されたとき圧縮または変形される圧縮可能なまたは他の変形可能な表面を有して、燃料タンク１０内の圧力が閾値圧力を超えたという表示を提供して良い。
【００１７】
また、電気閾値条件を超えることがセンサまたは表示器によって判定される。図５〜７が電気的な応答閾値表示器５０を有する構成要素の例を示しており、構成要素を使用する際に閾値電圧を超えているかどうかを判断することができる。
【００１８】
図５が電気駆動モータ５２を有する燃料ポンプ１２の部分を示す。モータ５２（部分のみ表示）が、モータ５２のブラシ６０に連結されるシャントワイヤにそれを介して電力が供給される正負の端子５４、５６を含む。ブラシ６０が整流子６２に係合し、電力をロータ（表示せず）に知られる方法で供給する。端子５４、５６がポンプハウジング６６の端部キャップ６４の外側に延在して、電力供給電線を端子に接続することが助長される。ブラシ６０、シャントワイヤ５８および他の構成要素がキャップ６４および／またはポンプハウジング６６内に内包されて良い。
【００１９】
閾値電圧が超過したかどうかを判断するために、電気閾値表示器５０がシャントワイヤ５８の両側に、またはシャントワイヤ５８に連結される導体キャップ６８の両側に接続されるか、または燃料ポンプの無線周波数妨害（ＲＦＩ）回路の中で、限定しないいくつかの例のように接続されて良い。この例では、閾値表示器がツェナーダイオード５０であり、ツェナーダイオードのトリップまたは折れ点（ｋｎｅｅ）が閾値電圧を規定する。折れ点電圧を燃料ポンプ１２の使用の際に超えたときに、ツェナーダイオード５０が導線間に破損されるに十分な電流が流れる。これにより、燃料ポンプ１２の使用後にツェナーダイオード５０が破壊されているときに、最大または閾値電圧を超えたことを判定できる。この情報が、たとえば、燃料ポンプ１２が動作中に問題を経験する場合、および／または、複数の燃料ポンプで動作問題の原因を判断するのに用いられる。図６に示すように、閾値電圧表示器５０がやはりポンプ１２の電源端子５４、５６間に接続されて良い。この場合、ツェナーダイオード５０がはやり閾値電気表示器として用いられる。
【００２０】
他の電気構成要素に類似の発想が用いられる。たとえば、図７に示すように、燃料レベルセンサ１４が、閾値電気表示器７０を有して、レベルセンサ１４へ供給される閾値電力が超えたかどうかを判断する。例示のレベルセンサ１４がハウジング７２、回路基板７４、回路基板７４上の導体パターン８０、燃料レベルが検知されるのに応じて動くアーム８２、および導体パターン８０と係合するアーム上の従動子８４を有する。導体パターン８０沿いの従動子８４の位置が検知されるレベルに応じて変化する。従動子８４が導体パターン８０に沿って動くにつれて、回路の抵抗値が変化し、回路の抵抗値が検知されて燃料のレベルの表示が提供される。
【００２１】
この例では、閾値電気表示器がツェナーダイオード７０で、レベルセンサ１４の正負の端子７６、７８の間に接続される。さらに具体的には、図示のように、ツェナーダイオード７０がソルダパッドに接続され、それによって正負の電線または端子がレベルセンサ１４の回路基板７４に接続される。ツェナーダイオード７０の折れ点電圧を超えたときに、前述のようにツェナーダイオード７０が破損する。ツェナーダイオードに代わり、または加えて、犠牲パターンがレベルセンサ上に設けられ、過電圧条件の証拠を提供する。また、極性が問題の場合、双方向にニー電圧のある、双方向ツェナーダイオードまたは電圧可変抵抗器が用いられて良い。
【００２２】
また、閾値表示器が設けられて、燃料装置の燃料の閾値腐食を超えたかどうかを判断することもできる。異なる燃料が異なる化学混合を有し、ある燃料が他の燃料に比べて多くの腐食要素を含む。たとえば、燃料内の硫黄、エタノールおよび水が所定の材料または要素を腐食させるか、あるいはそれらと反応する。したがって、所定の燃料の種類または範囲に設計された燃焼装置構成要素が、さらに腐食性の燃料または特定の物質を含有する燃料が使用されたときに破損または影響される。仮に要素が期待通りに動作しない場合、要素が使用するのに意図されたよりも腐食性のある燃料に曝されたかどうかを知ることは有効である。
【００２３】
図１、８に示すように、条件表示器９０が設けられる。表示器９０が燃料装置の１つまたは複数の条件に応答して良く、たとえば、それは温度、圧力、腐食、および電気である。表示されるように、条件表示器９０が温度閾値表示器９２、圧力閾値表示器９４、および腐食閾値表示器９６を含む。条件表示器９０が表示器９２、９４、および９６を保持する、１つの多重目的ユニットとしての主本体９８を有する。本体９８が燃料タンクまたは燃料タンク内の構成要素の何れか、たとえば燃料ポンプなどの中またはその上に、または燃料ポンプを含むモジュールの上に配される。組立てを容易にするために、本体９８が接着を有して、燃料タンクまたは他の構成要素に接着されて良い。もちろん、本体が、タンクまたは他の構成要素が形成されながらか、または形成された後で、燃料タンクまたは他の構成要素に溶接されるか、接着されるか、あるいは連結されて良い。腐食表示器９６が検知される所定の腐食要素に反応する材料を有して良い。たとえば、硫黄が銀と反応する。なれば、燃料の硫黄の存在を検知するために、表示器が燃料に接触する領域に配され、かつ表示器９６が銀メッキを含めば良い。銀メッキが硫黄に露出すると、銀メッキの表面上が酸化して、使用された燃料が硫黄を含有したという表示を提供する。表示器９６が硫黄（または他の燃料要素）の閾値濃度のみによって、所定の硫黄は許容し、閾値量または濃度を超えた場合に、表示器９６上に腐食の表示を示すように設計されて良い。類似のアプローチが他の腐食性燃料要素に使用できる。この場合、腐食表示器９６が閾値を超えた腐食性であるものに曝されたときに第１の状態から第２の状態に変化する。腐食表示器９６がやはり犠牲材料でも良い。温度および圧力閾値表示器９２、９４が何れの好適な種類で良く、すでに説明した種類の少なくとも何れかを含む。
【００２４】
図５が別の閾値腐食表示器１００を示す。この例では、表示器が装置の金属構成要素に接続されて良い犠牲部材１０２を有するかまたは構成される。たとえば、犠牲部材１０２が燃料ポンプハウジング６６の外側シェル１０４に接続されて、犠牲部材１０２がシェル１０４が腐食する前に腐食する。したがって、犠牲部材１０２を調べれば、燃料ポンプが使用された環境が、設計されたまたは意図された量を超えた腐食性であるかどうかを判断できる。犠牲部材１０２が何れの好適な材料で作られて所望の腐食要素を検出して良く、要望によって犠牲部材１０２が燃料ポンプ以外の構成要素に接続されて良い。さらには、犠牲部材１０２が、それが燃料ポンプシェル１０４に接続されるように、図５に図示される。その部材が所望の何れの形状、大きさで良く、好適な方法で、共に使用される構成要素の好適な場所に接続されて良い。
【００２５】
以上のように、様々な閾値表示器が用いられて、燃料装置構成要素が所定の閾値を超えた条件に曝されたことの表示を提供する。これらの閾値が、温度、圧力、腐食、または電気信号（たとえば、電圧）である。構成要素が閾値を超える条件に曝されたことを知れば、構成要素が経験した動作上の問題が、構成要素が使用された環境を鑑みて、設計フローなのか（および場合によっては保障問題）、より個別的に発生したものかを判断するのに有効である。閾値表示器が容易に既存の燃料装置に、またはその一部として組み込まれる。閾値表示器が燃料装置構成要素によって、またはその傍に保持されて、閾値表示器が燃料装置構成要素に作用する外来要因ではない条件に直接に影響される。たとえば、車両電気装置が燃料ポンプ回路に１つまたは複数のフューズ、および飛んだフューズを有しても、燃料ポンプそのものが過大電流を引っぱったことを必ずしも意味しない、というのは、問題は電線、ワイヤハーネス、コントローラ、または他の構成要素にあるかも知れないからである。しかしながら、燃料ポンプの電源に直接に関連する電気閾値表示器（すなわち、電力が漏電するか短絡する）が、燃料ポンプに直接に関連する表示を提供する。
【００２６】
本明細書に開示の発明の形態が現在の好適な実施形態を構成するが、他の形態も可能である。発明の全ての可能な等価な形態本明細書で説明するものではない。本明細書で用いた用語が、限定するよりも単に説明を目的とするものであり、本発明の主旨または請求の範囲から逸脱しないで種々の変態がなされることは自明である。
【図１】
2013203395.tif 000003
【図２】
2013203395.tif 000004
【図３】
2013203395.tif 000005
【図４】
2013203395.tif 000006
【図５】
2013203395.tif 000007
【図６】
2013203395.tif 000008
【図７】
2013203395.tif 000009
【図８】
2013203395.tif 000010